(57)【特許請求の範囲】
【請求項１】
発光源をマトリックス状に複数個配列した表示手段と、
画像データの入力を受け取る画像データ受信手段と、
上記画像データのうちの上記表示手段により表示する領域および表示する位置を示す領域位置情報の入力を受け取る領域位置情報受信手段と、
上記領域位置情報に基づいて、表示する領域のデータを上記画像データから抽出する表示画像データ抽出手段と、
抽出された上記データおよび上記領域位置情報により指定される位置に基づいて、上記表示手段を構成している複数の上記発光源のうちで発光させるべき発光源を選択して、当該発光源を駆動する発光源駆動手段と、
上記表示手段により表示される画像データ中に上記領域位置情報にて示される位置に指定された所定のデータが存在した場合に、予め定められた外部出力機器の制御を行う出力機器制御手段と
を備えたことを特徴とする表示装置。
【請求項２】
発光源をマトリックス状に複数個配列した表示手段と、
画像データの入力を受け取る画像データ受信手段と、
上記画像データのうちの上記表示手段により表示する領域、表示する位置、および、当該表示におけるコントラスト（輝度）を示す領域位置コントラスト情報の入力を受け取る領域位置コントラスト情報受信手段と、
上記領域位置コントラスト情報に基づいて、表示する領域のデータを上記画像データから抽出する表示画像データ抽出手段と、
抽出された上記データ、上記領域位置情報により指定される位置およびコントラストに基づいて、上記表示手段を構成している複数の上記発光源のうちで発光させるべき発光源を選択して、指定された上記コントラストで当該発光源を駆動する発光源駆動手段と、
上記表示手段により表示される画像データ中に上記領域位置コントラスト情報にて示される位置に指定された所定のデータが存在した場合に、予め定められた外部出力機器の制御を行う出力機器制御手段と
を備えたことを特徴とする表示装置。
【発明の詳細な説明】
【技術分野】
【０００１】
本発明は表示装置、画像表示方法および画像作成方法に関し、特に、パソコン等から出力されるアナログＲＧＢ信号を元に、ＬＥＤ（発光ダイオード）ランプあるいはチップＬＥＤの発光源等をマトリックス状に多数個配列したＬＥＤ表示装置にその一部あるいは全部を表示させるための表示装置、画像表示方法および画像作成方法に関する。
【背景技術】
【０００２】
近年、電球や発光ダイオード（以下、ＬＥＤとする）などの発光体が画素としてマトリックス状に配列されて表示画面を構成している表示装置が、広告板や案内板などに用いられている（例えば、特許文献１参照）。
【０００３】
図９に、この種の従来技術を表す機器接続図を示す。図９の例は、工場等の組立ラインにおける生産高表示等を行うＬＥＤ表示装置を示している。図９において、１はＬＥＤで構成されたＬＥＤ表示装置、２は外部よりデータや画像を送信するパソコン、３はプログラマブルコントローラ、４は工場等の組立ライン、５ａは外部に取り付けられたブザー、５ｂは同じく外部に取り付けられた警報ランプ、６は出力制御機器、１０１は表示制御部、１０２はＬＥＤ駆動部、１０３はＬＥＤマトリックスとなっている表示部、２０２はパソコン２に接続されているマウス、２０３は同じくパソコンに接続されているキーボードを示す。
【０００４】
次に、動作を説明する。パソコン２においてＬＥＤ表示装置１に表示する画像を作成し、作成した画像そのものをＬＥＤ表示装置１に表示することが可能となるように必要に応じて所定の加工処理を行い、それをアナログＲＧＢ信号にてＬＥＤ表示装置１に送信し、表示させる。
また、組立ライン４にて異常等が発生すると、その信号をプログラマブルコントローラ３にて受信し、必要な情報がパソコン２に送信される。情報を受信したパソコン２は内部にてそれを演算処理し、その処理結果に基づいて、直接外部の出力制御機器６に指令を発し、ブザー５ａや警報ランプ５ｂを作動させる。
【０００５】
ＬＥＤマトリックスの画素数は、それを表示する側（この場合パソコン）の表示解像度に影響を受ける。たとえばパソコン側からの６４０×４８０ドット（ＶＧＡ）での出力に対して、ＬＥＤマトリックスの画素数が３２０×２４０ドット（ＱＶＧＡ）であった場合は、パソコンからのアナログＲＧＢ信号のうちの１／４サイズのみを表示することとなる。一般的に表示する側の解像度に比べ、大画面表示となり、コストが高くなる等の理由からＬＥＤマトリックスの画素数は少ないことが多いため、ＬＥＤ表示装置は、表示する側のデータの一部を表示することとなる。
【０００６】
また、特に工場内での生産高表示やライン設備の状態表示等に用いられる表示装置においては、その表示内容にリンクした形で、ブザー出力や、警報ランプ点灯出力をすることが多い。
【０００７】
【特許文献１】特開２００３−２２３１４６号公報
【発明の開示】
【発明が解決しようとする課題】
【０００８】
上述のように、画像信号を出力するパソコンの解像度に対して、画像表示するＬＥＤマトリックスの画素数が少ない場合、パソコンからの出力画像の一部を表示することとなるが、パソコンからの出力インターフェースであるアナログＲＧＢ仕様上、パソコン画面の左上を原点とした位置からの画像を、ＬＥＤマトリックスの画素数分だけ表示することになるという問題点があった。あるいは、ＬＥＤマトリックスの画素数に合わせた専用の画面構成にするか、画面作成の専用装置を採用することとなるという問題点があった。
【０００９】
最近は、パソコンにより、各種演算を行うなどして、その結果を表表示やグラフ表示により同一画面に表示して全体の管理をしたり、素早く文字情報の入れ替えをして外部への連絡広告等の表示に使用する形態が要求されてきた。この場合、パソコンに表示されている画面にマイクロソフト社のＷｉｎｄｏｗｓ(登録商標)などのＯＳに見られるようなメニュー画像が存在することが多く、ＬＥＤマトリックスに表示する際には、図１０に一例を示すように、例えば、メニューバー等の余分な画像が表示されてしまうことがあるという問題点があった。これを回避するためにはＬＥＤマトリックスに表示したい画像を、ＬＥＤマトリックスの画素数を考えて、図１１に示すように、パソコン画面上の所望の位置に再配置する必要があった。
【００１０】
また、工場内生産ラインでの状態表示等で用いられる表示装置において、ＬＥＤマトリックス上に表示された内容に同期した形でブザー警告や、警報ランプによる警報を行う際は、図９に示す出力制御機器６のように別途専用の出力設備を用意しなければならないという問題点があった。
【００１１】
さらに、工場内生産ライン状態表示等での画像・文字等の表示において、強調表示したい文字・画像に対しては、色セロハンを表示装置表面の上から貼るなどの後工程にて対応せざるを得ないという問題点があった。
【００１２】
この発明は、かかる問題点を解決するためになされたものであり、表示装置側にＬＥＤ表示したい画像を、パソコン側の画面を操作・移動等の表示変更処理を介さずに、ＬＥＤ表示装置側で所望の画像を抽出して表示を行うことが可能な表示装置、画像表示方法および画像作成方法を得ることを目的とする。
【課題を解決するための手段】
【００１３】
この発明は、発光源をマトリックス状に複数個配列した表示手段と、画像データの入力を受け取る画像データ受信手段と、上記画像データのうちの上記表示手段により表示する領域および表示する位置を示す領域位置情報の入力を受け取る領域位置情報受信手段と、上記領域位置情報に基づいて、表示する領域のデータを上記画像データから抽出する表示画像データ抽出手段と、抽出された上記データおよび上記領域位置情報により指定される位置に基づいて、上記表示手段を構成している複数の上記発光源のうちで発光させるべき発光源を選択して、当該発光源を駆動する発光源駆動手段と、上記表示手段により表示される画像データ中に上記領域位置情報にて示される位置に指定された所定のデータが存在した場合に、予め定められた外部出力機器の制御を行う出力機器制御手段とを備えたことを特徴とする表示装置である。
【発明の効果】
【００１４】
この発明は、発光源をマトリックス状に複数個配列した表示手段と、画像データの入力を受け取る画像データ受信手段と、上記画像データのうちの上記表示手段により表示する領域および表示する位置を示す領域位置情報の入力を受け取る領域位置情報受信手段と、上記領域位置情報に基づいて、表示する領域のデータを上記画像データから抽出する表示画像データ抽出手段と、抽出された上記データおよび上記領域位置情報により指定される位置に基づいて、上記表示手段を構成している複数の上記発光源のうちで発光させるべき発光源を選択して、当該発光源を駆動する発光源駆動手段と、上記表示手段により表示される画像データ中に上記領域位置情報にて示される位置に指定された所定のデータが存在した場合に、予め定められた外部出力機器の制御を行う出力機器制御手段とを備えたことを特徴とする表示装置であるので、表示装置側にＬＥＤ表示したい画像を、パソコン側の画面を操作・移動等の表示変更処理を介さずに、ＬＥＤ表示装置側で所望の画像を抽出して表示を行うことが可能である。
【発明を実施するための最良の形態】
【００１５】
以下、この発明に係るＬＥＤ表示装置の実施の形態に対して、添付した図面を参照しながら詳細に説明する。
【００１６】
図１は、この発明に係るＬＥＤ表示装置とパソコンとの接続を示した図である。この発明に係るシステムは、パソコン２とＬＥＤ表示装置１とで構成され、ＬＥＤ表示装置１は、表示制御部１０１と、ＬＥＤ駆動部１０２と、ＬＥＤマトリックス１０３とで構成される。ＬＥＤマトリックス１０３はＬＥＤがマトリックス状に多数個配列されて構成されている。ＬＥＤ駆動部１０２は、ＬＥＤマトリックス１０３の各ＬＥＤを駆動させて発光させるものであり、表示制御部１０１は、パソコン２から出力される信号を受け、ＬＥＤ駆動部１０２に制御を渡すものである。また、この発明に係るシステムは、工場等の組立ライン４とパソコン２とを接続するプログラマブルコントローラ３と、外部に取り付けられた外部出力機器５であるブザー５ａおよび警報ランプ５ｂが設けられている。工場内の組立ライン４にて異常が発生すると、その信号をプログラマブルコントローラ３にて受信し、必要な情報をパソコン２に送信する。信号を受信したパソコン２は内部にてそれを演算処理し、ＬＥＤマトリックス１０３に表示された内容に同期した形でブザー５ａによるブザー警告や、警告ランプ５ｂによる警報を行う。
【００１７】
図２は、上述したＬＥＤ表示装置の内部をさらに詳細に機能分けしたブロック図である。以下ブロック毎にその機能説明と動作アルゴリズムについて記述する。
【００１８】
表示制御部１０１において、アナログＲＧＢインターフェース１０１１は、パソコン２から出力される映像信号と同期信号を受信する部分である。映像信号は、Ｒ（赤）、Ｇ（緑）、Ｂ（青）の３信号から成り、同期信号は水平同期信号と垂直同期信号より構成される。なお、最近のパソコンにおいては、これらの信号の他に、ＰｎＰ（プラグアンドプレイ）用の信号が含まれる場合もある。
【００１９】
極性変換部１０１２は、前述の同期信号（水平・垂直同期）の極性を統一する機能を有する。現在の同期信号の送信形態は分離型（正極性、負極性）と複合型（映像信号の一部に同期信号を重畳させる方式）のものがあるため、極性変換部１０１２において、これらを統一変換することで後段の処理を単純化させる機能をもつ。
【００２０】
形態判別部１０１３では、前述の通りアナログＲＧＢ信号の複数の規格に合わせて、後段のＬＥＤ駆動部１０２での処理方式を変える必要があるため、入力されるアナログＲＧＢ信号より受信信号の形態を判別する。
【００２１】
ドットクロック生成部１０１４では、アナログＲＧＢ信号の映像信号であるＲ，Ｇ，Ｂ信号を個々に読み取るためのドットクロックを生成する機能を有する。パソコン２側にてこのドットクロックを分周して水平同期信号を生成しているため、逆に、ドットクロック生成部１０１４では、この水平同期信号を逓倍することによってドットクロックの生成を行う。パソコン２側での分周比は規格で決まっており、入力されるアナログＲＧＢ信号の形態が判れば水平同期信号より生成可能である。
【００２２】
信号増幅部１０１５では、アナログＲＧＢインターフェース１０１１で受信した映像信号（Ｒ，Ｇ，Ｂ信号）が０．７Ｖｐ−ｐという非常に微弱な信号で供給されることから、それらのノイズの影響軽減と、また、後段での処理をしやすくするために、当該映像信号を増幅する機能を有する。
【００２３】
Ａ／Ｄ変換部１０１６では前述の信号増幅部１０１５で増幅された映像信号を後段のＬＥＤ駆動部１０２にてデジタル処理するために、アナログ→デジタル変換する機能を有する。
【００２４】
位置選択部１０１７では、パソコン２より送られてくるアナログＲＧＢ信号（映像信号・同期信号）の解像度が、ＬＥＤ表示装置１の持つ解像度より高い場合に、当該アナログＲＧＢ信号のどの位置領域を表示するかを選択する機能を有する（後述の実施の形態１参照）。またここで入力される映像信号の縦横切替表示についても制御する機能を有する（後述の実施の形態１参照）。
【００２５】
ＬＥＤマトリックス１０３は、複数のＬＥＤモジュールから構成されている。図３において、３２０×２４０画素（ＱＶＧＡ）のＬＥＤマトリックス１０３を実現するためには、１６×１６画素のＬＥＤモジュール１０３１を、縦１５モジュール、横２０モジュールにして組み合わせることによりなされる。また、前述の１／３の解像度で３２０×８０画素のＬＥＤマトリックス１０３を実現するためには、ＬＥＤモジュール１０３１を、縦５モジュール、横２０モジュールの組み合わせで実現可能となる。このようにＬＥＤマトリックス１０３の解像度に対して柔軟性を持たせるために、表示制御部１０１からＬＥＤ駆動部１０２へ送られる画像データは、すべてブロードキャスト的に配信される。ＬＥＤ駆動部１０２において、現在配信されている画像データが自分の表示部分であるかどうかを判別するために、「局」という概念を用いて、ＬＥＤ駆動部１０２で表示対応するＬＥＤマトリックスヘ配信する機能を持っている。図２の表示制御部１０１の局選択部１０１８では、その局情報を画像データおよび同期信号より認識し、実際に配信される画像データにその局情報を生成・付加する機能を有する。
【００２６】
表示制御部メモリ１０１９では、Ａ／Ｄ変換部１０１６でデジタル化された画像データを一時的に確保することで、アナログＲＧＢ信号の制御周期（表示周期）と表示制御部１０１がＬＥＤ駆動部１０２へ配信する信号の制御周期とを非同期にする機能を有する。
【００２７】
表示制御マイコン１０１ａは、シリアルインターフェース１０１ｂの制御と、そのシリアルインターフェース１０ｌｂを介して通信されたデータを表示制御部パラメータメモリ１０１ｃへ転送する機能を有する。
【００２８】
シリアルインターフェース１０１ｂは、外部のパソコン２との通信を行うためのポートである。
表示制御部パラメータメモリ１０１ｃは、シリアルインターフェース１０１ｂを介して外部パソコン２から送られてくる表示画像領域情報８０１（図４参照）を代表とする表示制御部パラメータデータを格納する機能を有する。
【００２９】
続いて図２のＬＥＤ駆動部１０２において、局判別部１０２１では、表示制御部１０１からブロードキャスト的に配信される画像データ・制御データから、局判別を行い、所望の後段の処理機能ブロックヘ処理を振り分ける機能を有する。
【００３０】
データ判別部１０２２では、前述の局判別部１０２１の判別結果に基づき、配信信号中の有効データ部のみの抽出を行い、後段の機能ブロックヘ処理を渡す機能を有する。
【００３１】
ＬＥＤ駆動部メモリ１０２３では、前述した表示制御部１０１にも存在して表示制御部メモリ１０１９と同様の機能を有しており、表示制御部１０１からの配信データの制御周期とＬＥＤマトリックスヘの表示制御周期の非同期部分の不整合部分を当該メモリに一次確保する機能を有する。
【００３２】
駆動回路部１０２４では、前述のＬＥＤ駆動部メモリ１０２３に取り込まれた画像データを表示制御部１０１とＬＥＤ駆動部１０２の制御周期とは非同期に読み出し、後段のＬＥＤマトリックス１０３へ送信する機能を有する。
【００３３】
ＬＥＤマトリックス１０３は、図３に示す複数の前述した１６×１６画素のＬＥＤモジュール１０３１とそれらＬＥＤモジュール１０３１を駆動するための大電流高速スイッチング回路部１０３２から構成される。
【００３４】
図２に示す出力駆動部１０２ａは、データ判別部１０２２からの制御信号によって、図１に図示するブザー５ａや警報ランプ５ｂ等の接続されている出力機器のＯｎ／Ｏｆｆ制御を行う機能を有する。
【００３５】
また、ＬＥＤ駆動部パラメータメモリ１０２ｂは、図６に示す出力駆動領域情報８０２を代表とするＬＥＤ駆動パラメータデータを格納する機能を有する。
【００３６】
更に、コントラスト制御部１０２ｃは、データ判別部１０２２からの制御信号によって、外部のパソコン２にて設定された、ＬＥＤ表示領域の部分あるいは全体のＬＥＤのコントラスト（輝度）を制御する機能を有する。
【００３７】
実施の形態１．
本実施の形態においては、この発明の表示装置により、図４に示すように、パソコン２にて表示されている画像のうちの“え”の部分をＬＥＤ表示装置１に表示させる場合を例に図１とともに説明する。
【００３８】
まず、パソコン２側において、マウス２０２あるいはキーボード２０３を用いて表示したい画像を選択する。図４（ａ）ではマウス２０２により、画像“え”を選択した状態を示している。マウス２０２にて画像選択する方法としては、一般的によく用いられる左上のポイントをクリックし、そのまま右下方向にドラッグすることで、パソコン２のパソコン用表示機２０１の画面上にはラバーバンドと呼ばれる矩形ラインがマウスポインタ２０２ａに同期して表示される。選択したい画像（この場合“え”）をこのラバーバンドにて包含する位置でマウスボタンを解除することで、画像の選択を行う。さらにこの選択画像をＬＥＤ表示装置１のＬＥＤマトリックス１０３上のどの位置に表示させるかを指定する。具体的な指定方法としては、前述の表示領域をマウス２０２にて選択したあと、自動的に図４（ｂ）のウィンドウが開き、その中で、ＬＥＤマトリックス１０３上のどの位置へ表示させるかをマウス２０２あるいはキーホード２０３を用いて指定する。表示位置指定の方法としては、図４（ｃ）のＬＥＤ表示装置の画面を４分割して、その４つのエリアのうちのどの部分へ表示させるかを図４（ｂ）のウィンドウで指定するといった方法や、もっと画素単位に指定する場合を考慮して、図４（ｄ）にあるようなＬＥＤマトリックスの画素数でのスタート座標（ＸＳ，ＹＳ）を図４（ｂ）のウィンドウで指定する方法などが挙げられる。さらにこの表示位置情報内には、表示形態として縦・横表示に関する情報も含まれている。これら操作によって得られる左上座標データ、選択矩形の横、縦の画素数（単位はドット数）、表示位置情報のパラメータは、パソコン２にて図４（ａ）に示すデータ列として生成される。これらの一連のデータ列を表示画像領域情報８０１とし、後述の画像の加工処理を行うことにより、所望の画像表示を得る。
【００３９】
続いて、この表示画像領域情報８０１をパソコン２からＬＥＤ表示装置１ヘシリアル通信にて転送する。ＬＥＤ表示装置１ではこの表示画像領域情報８０１を、表示制御部１０１のシリアルインターフェース１０１ｂにて受信して、表示制御マイコン１０１ａを介して、表示制御部パラメータメモリ１０１ｃへ格納される。
【００４０】
この表示制御部パラメータメモリ１０１ｃに格納された表示画像領域情報８０１を表示制御マイコン１０１ａにより位置選択部１０１７に送信し、位置選択部１０１７にて、パソコン２より送られてくる画像データに対して、表示画像領域情報８０１で示される領域部分の選択と表示形態の縦横表示処理を実施し、局選択部１０１８を介してＬＥＤ駆動部１０２へ送信する。
【００４１】
ＬＥＤ駆動部１０２では、局判別部１０２１・データ判別部１０２２にて、選択情報から表示すべき画像データの識別を行い、その結果をＬＥＤ駆動部メモリ１０２３へ一時的に格納する。
【００４２】
駆動回路部１０２４ではＬＥＤ駆動部メモリ１０２３に格納された表示されるべき画像データをＬＥＤマトリックス１０３へ転送し、所望の画像データを表示する。
【００４３】
ここで、パソコン２にて選択・切り出しした画像の解像度（以下解像度Ａと略す）と実際に表示されるＬＥＤマトリックス１０２（あらかじめ設定された表示位置領域）の解像度（以下解像度Ｂと略す）との関係において、以下の処理を表示制御１０１の表示制御マイコン１０１ａと位置選択部１０１７にて実施する。
ケース１：解像度Ａ＝解像度Ｂ
パソコン２より送られてくる画像データに対して何の処理も加えずにそのまま表示。
ケース２：解像度Ａ＞解像度Ｂ
パソコン２からの画像データの方が解像度が高いため、そのまま１：１で表示させることは不可。従って、解像度Ｂに合った形でパソコン２からの画像データの解像度を落とす処理（一般的に使用されている間引き処理などの画像圧縮技術を使用）を行う。
ケース３：解像度Ａ＜解像度Ｂ
パソコン２からの画像データの解像度が低い場合は、そのまま表示させると小さく表示されてしまうため、解像度Ｂに合った形でパソコン２からの画像データの解像度を上げる処理（一般的に使用されている画像膨張技術を使用）を行う。
【００４４】
以上のように、本実施の形態においては、パソコン２から送られるデータを受信するための通信手段（シリアルインターフェース１０１ｂ）を設けるとともに、マウス２０２のドラッグによる領域指定、あるいは、キーボード２０３による画素単位の指定入力により表示したい画像を選択することにより、選択された画像の表示開始点をはじめとする表示パラメータデータ（表示画像領域情報８０１）を上記通信手段により受けとることができ、それによって、任意のエリアのみの画像抽出が可能となり、パソコン２側で不必要な画像を消去したり、必要画像を表示有効領域へ移動させたりする等の処理が不要となる。
【００４５】
実施の形態２．
本実施の形態においては、図１において、工場内のライン４の状態を監視しその状態を当該ＬＥＤ表示装置１にて表示させている場合において、ライン４上の設備のひとつが異常状態に陥り、その状態をＬＥＤ表示装置１に表示させるとともに、その表示情報に関連付けされたＬＥＤ表示装置１に接続された出力機器であるブザー５ａおよび警報ランプ５ｂを駆動する場合の動作について説明する。
【００４６】
ライン４の状態を常に監視しているプログラマブルコントローラ３から、ライン４上の設備のひとつあるいは複数に異常が発生したことを知らせる信号を、パソコン２にて受信する。パソコン２では、受信した信号を演算処理し、その内容をパソコン２のパソコン用表示機２０１へ表示する。
【００４７】
その結果、その表示内容がＬＥＤ表示装置１に反映されて、ＬＥＤ表示装置１の画面上には、図５のような表示がなされる。図５では、設備（４）に異常状態が発生し、エラー警告にて設備が停止していることを通知し、さらに、設備（３）においても異常状態警告が届いており、修理・メンテナンスの必要性を通知している。
【００４８】
また、パソコン２からは、図６の出力駆動領域情報８０２に示される情報（データ）をＬＥＤ表示装置１に対して送信する。出力駆動領域情報８０２は、図２の出力駆動部１０２ａの出力チャンネル（駆動ＣＨ）に対する出力駆動領域を表すＬＥＤマトリックス座標での開始点Ｘ座標（ドット）、Ｙ座標（ドット）とその領域の横方向ドット数（ｗ）と縦方向ドット数（ｈ）、さらに領域内に表示される出力駆動機能有効となる色を指定する部分があり（１：赤、２：緑、３：橙）、最後にその情報を一括で有効／無効として処理可能にするためのフラグを持つ（０：無効、１：有効）。
【００４９】
出力駆動領域情報８０２を受け取ったＬＥＤ表示装置１は、その情報（データ）をＬＥＤ駆動部１０２のＬＥＤ駆動部パラメータメモリ１０２ｂ内に、表示制御部１０１のシリアルインターフェース１０１ｂ、表示制御マイコン１０１ａを介して、転送・書込みを行う（図６の出力駆動領域情報８０２は出力８チャンネルの一例）。
【００５０】
データ判別部１０２２では、表示制御部１０１から送られてくる表示画像データとこの出力駆動領域情報８０２の内容を逐次比較を行い、条件内容が合致したときに、出力駆動部１０２５ａを通じて、外部に接続された該当するチャンネルの外部機器を駆動する。条件の一致とは、出力駆動領域情報８０２にて設定されている領域内（Ｘ０，Ｙ０，Ｈ０，Ｗ０）に指定された色データが表示されたら、該当するチャンネルの外部機器への制御を行うことを意味する。すなわち、例えば、出力駆動領域情報８０２にて設定されている領域内（Ｘ０，Ｙ０，Ｈ０，Ｗ０）に、指定された色データの赤色が表示されたら、出力機器であるブザー５ａと警報ランプ５ｂの両方を駆動させ、出力駆動領域情報８０２にて設定されている領域内（Ｘ１，Ｙ１，Ｈ１，Ｗ１）に、指定された色データの橙色が表示されたら、出力機器である警報ランプ５ｂを駆動させるというように、指定された色データが表示されることに同期させて、出力機器を自動的に駆動させる。
【００５１】
つまり、監視しているライン４上で発生した異常状態を、ＬＥＤ表示装置１の画面上に表示する画像の表示位置と色とを条件に合うよう設計することにより、あらかじめ定義された出力機器の駆動を表示させる画像情報にて制御することができる。
【００５２】
今回は出力駆動領域情報８０２に格納する領域情報として始点（Ｘ，Ｙ）とその領域の縦横のドット数（Ｈ，Ｗ）にて表現したが、この縦横のドット数を０と指定することで、領域ではなく、ひとつの点（この場合は始点であるＸ，Ｙ）での条件定義も可能である。
【００５３】
以上のように、本実施の形態によれば、表示される画像データより、あらかじめ定めた領域にある特定の色や定められた文字や図が表示された場合に、所定の外部出力機器５へ信号を送出する機能を備えることにより、各警報・警告に応じた出力機器制御用の機構を新たに製作する必要がなくなり、表示させる画像に同期した形での各警報・警告出力が柔軟に設計できる。
【００５４】
実施の形態３．
本実施の形態においては、上述した実施の形態２をベースにして、図６の出力駆動領域情報８０２を出力駆動領域条件テーブル８０２ａと出力駆動条件式テーブル８０２ｂの二つに分け、複数の条件の論理演算を可能とする構成をとることによって、複雑な条件分岐による出力機器への駆動制御も可能となる。例えば、図５に示したライン４における設備（４）に異常（エラー）が発生し、かつ、設備（３）にも異常（ワーニング）が発生した場合には、出力駆動部１０２ａの駆動チャンネル０に接続されたブザー５ａをＯＮし、警報を鳴らす（図６の出力駆動条件式テーブル８０２ｂの駆動ｃｈ０駆動条件式の例）。
【００５５】
図６では条件式として、ＡＮＤ（論理積）とＯＲ（論理和）を記載して説明したが、その他の論理演算式についてもすべて対応が可能であり、複雑な条件においても柔軟な設定が可能となる。例えば、前記条件式や他の条件式の具体的な構成の方法として、
・ある領域とある領域の交わる部分に画像が表示された場合に出力機器を駆動する場合。（ＡＮＤ（論理積））
・２つのある領域のどちらかに画像表示された場合に出力機器を駆動する場合。（ＯＲ（論理和））
・ある領域以外に画像が表示された場合に出力機器を駆動する場合。
など。
今回の説明では、条件式で使用される条件項を２つの場合で説明したが、更に、３つ以上の場合でもデータの構造を変えることで可能である。
【００５６】
以上のように、本実施の形態によれば、上述した実施の形態２と同様に、表示される画像データより、あらかじめ定めた領域にある特定の色や定められた領域が表示された場合に、接続されている出力機器へ信号を送出する機能を備えることにより、各警報・警告に応じた出力機器制御用の機構を新たに製作する必要がなくなり、表示させる画像に同期した形での各警報・警告出力が柔軟に設計できる。さらに、本実施の形態によれば、出力駆動領域情報８０２を出力駆動領域条件テーブル８０２ａと出力駆動条件式テーブル８０２ｂの二つに分け、複数の条件の論理演算を可能とする構成をとるようにしたので、複雑な条件分岐による出力機器への駆動制御が可能である。
【００５７】
実施の形態４．
図７において、強調したい文字のコントラストを高くし（高輝度）、表示の必要性の低い文字のコントラストを低く（低輝度）設定する場合を例にとって説明する。
【００５８】
パソコン２よりＬＥＤ表示装置１ヘシリアル通信にて、強調したい領域、あるいは、強調の必要ないコントラストを落として表示したい領域を図８に示すコントラスト制御領域情報８０３というテーブルに格納してＬＥＤ表示装置１へ転送する。
【００５９】
実際の操作手順としては、以下のようになる。
まず、パソコン２において、パソコン２のパソコン用表示機２０１の画面上に表示されている表示画像に対して、マウス２０２にて、強調したい領域をマウスポインタ２０２ａを操作して指定する。画像選択の方法は、実施の形態１で説明した方法と同様である。図７では、右上に表示されている「現在の生産数：１２３４５」をラバーバンドで包含する形で画像指定を行う。
【００６０】
次にその指定された画像に対して、その領域におけるコントラストを指定する。図８の例では、コントラストは３段階用意されている（コントラスト  高：１、中：２、低：３）。本実施の形態では、強調したい画像として指定するため、コントラストを１（高）とする。具体的なマンマシンインターフェースとしては、前述の領域選択・画像指定した際に図８に示すような別ウィンドウが開き、その中でコントラストを指定するなどが挙げられる。
【００６１】
その結果、図１１に示すようなコントラスト制御領域情報８０３と呼ばれるテーブルが生成される。このコントラスト制御領域情報８０３は、表示制御部１０１を介して、ＬＥＤ駆動部１０２内のＬＥＤ駆動部パラメータメモリ１０２ｂへ格納される。
【００６２】
続いてＬＥＤ駆動部１０２内のデータ判別部１０２２によってこれら情報をコントラスト制御部１０２ｃへ送り、コントラスト制御部１０２ｃはそのコントラスト制御領域情報８０３に従って、駆動回路部１０２４へ指令を出す。
【００６３】
駆動回路部１０２４ではその指令を受けて、ＬＥＤマトリックスの所望の領域にあるＬＥＤマトリックス１０３内のＬＥＤモジュール１０３１に対する駆動信号を制御して、指定されたコントラスト（輝度）にてＬＥＤマトリックス１０３を駆動する。
【００６４】
結果として、図７に示すように強調したい文字である生産数の表示コントラストを高めるように図８のコントラスト制御領域情報のＮｏ２でコントラスト高と指定して、表示装置１を見る作業者の視認性を高め、休止しているラインを表す図形表示のコントラストを低くするように図８のコントラスト制御領域情報のＮｏ３でコントラスト低と指定する。また、表示画面全体の表示コントラストを図８のコントラスト制御領域情報のＮｏ１でコントラスト中と指定することで、表示装置１全体の見易さ向上と、装置としての消費電力を抑えることができる。
【００６５】
以上のように、本実施の形態によれば、あらかじめ定められた領域にあるＬＥＤのコントラスト（輝度）を個別に制御できる機能を備えたことにより、強調したい画像・文字等を後工程による処理に頼る必要がなくなり、さらに強調したい画像・文字等を任意のタイミングで動的に制御可能となる。また、表示する必要性の低い画像・文字等領域のコントラスト（輝度）を落とすことで、ＬＥＤへの供給電力が抑えられ、省エネ効果が期待できる。
【００６６】
なお、上述の実施の形態１〜４の説明においては、入力Ｉ／ＦにアナログＲＧＢを用いた説明をしたが、他のＩ／Ｆ（例えはデジタルＲＧＢなど）においても同様の効果が得られる。
【産業上の利用可能性】
【００６７】
例えば、屋外広告（パチンコ店等）、工場内の生産高表示や、交通機関等でよく見かけるダイヤ表示装置などの大型なものから、各種信号機や自動車等のインジケータ及びテレビの分野までの種々の用途に適用される、あるゆる種類のＬＥＤ表示装置等のドットマトリクス形式の表示装置すべてに適用可能である。
【図面の簡単な説明】
【００６８】
【図１】この発明の実施の形態１〜４に係る表示装置の全体の構成を示す構成図である。
【図２】この発明の実施の形態１〜４に係る表示装置の構成を示す機能ブロック図である。
【図３】この発明の実施の形態１〜４に係る表示装置において、所望の画素数を実現するために必要なＬＥＤモジュールの配置の一例を示した説明図である。
【図４】この発明の実施の形態１に係る表示装置において、表示させたくない画像が混在している場合の、パソコン側での前処理を示した説明図である。
【図５】この発明の実施の形態２に係る表示装置の画面表示の一例を示した説明図である。
【図６】この発明の実施の形態２及び３に係る表示装置における出力駆動領域情報の一例を示した説明図である。
【図７】この発明の実施の形態４に係る表示装置の画面表示の一例を示した説明図である。
【図８】この発明の実施の形態４に係る表示装置におけるコントラスト制御領域情報の一例を示した説明図である。
【図９】従来の表示装置の全体の構成を示した構成図である。
【図１０】従来の表示装置における画面表示の一例を示した説明図である。
【図１１】従来の表示装置におけるパソコン側での前処理を示した説明図である。
【符号の説明】
【００６９】
１  ＬＥＤ表示装置、２  パソコン、３  プログラマブルコントローラ、４  組立ライン、５  外部出力機器、５ａ  ブザー、５ｂ  警報ランプ、１０１  表示制御部、１０２  ＬＥＤ駆動部、１０２ａ  出力駆動部、１０２ｂ  ＬＥＤ駆動部パラメータメモリ、１０３  ＬＥＤマトリックス、２０１  パソコン用表示機、２０２  マウス、２０３  キーボード、８０１  表示画像領域情報、８０２  出力駆動領域情報、８０２ａ  出力駆動領域条件テーブル、８０２ｂ  出力駆動条件式テーブル、８０３  コントラスト制御領域情報、１０１１  アナログＲＧＢインターフェース、１０１２  極性変換部、１０１３  形態判別部、１０１４  ドットクロック生成部、１０１５  信号増幅部、１０１６  Ａ／Ｄ変換部、１０１７  位置選択部、１０１８  局選択部、１０１９  表示制御部メモリ、１０２１  局判別部、１０２２  データ判別部、１０２３  ＬＥＤ駆動部メモリ、１０２４  駆動回路部。
【図１】
0005202800.tif 000002
【図２】
0005202800.tif 000003
【図３】
0005202800.tif 000004
【図４】
0005202800.tif 000005
【図５】
0005202800.tif 000006
【図６】
0005202800.tif 000007
【図７】
0005202800.tif 000008
【図８】
0005202800.tif 000009
【図９】
0005202800.tif 000010
【図１０】
0005202800.tif 000011
【図１１】
0005202800.tif 000012